(57)【特許請求の範囲】
【請求項１】
室内の空気を吸込む吸込口と、室内へ調和空気を吹出す吹出口と、前記吸込口と前記吹出口とを連通する風路とを有する本体と、
前記風路に設けられた送風ファンと、
前記送風ファンに向って前記吹出口に設けられ、前記送風ファンへの触手を抑制するファンガードと、
前記吹出口に設けられ、左右方向の風向を変更する左右風向板と、
前記ファンガードが着脱自在に取り付けられると共に、前記左右風向板が回動自在に取り付けられて、前記本体に固定される左右風向板ベースとを備え、
前記ファンガードは、Ｕ字に形成された複数の縦桟と、複数の横桟とからなり、
前記左右風向板ベースは、前記縦桟のＵ字の反開口部側が回動自在に係合する縦桟係合部と、前記横桟が押し込められる横桟係合部とを具備し、
前記縦桟は２本の縦部分と、横部分とからなり、前記左右風向板ベースの前記縦桟係合部は、前記縦桟の縦部分が収まり、該縦部分の左右及び後方への位置決めとなる凹部と、この凹部に連接して形成され、前記縦桟の横部分が収まり、前後及び下方への位置決めとなる第１の切欠き部とを備えたことを特徴とする空気調和機。
【請求項２】
前記左右風向板ベースの前記横桟係合部は、前記横桟が押し込まれる第２の切欠き部を有し、前記吹出口の風の流れの方向に略平行に設けられた保持片からなることを特徴とする請求項１記載の空気調和機。
【請求項３】
前記保持片は、前記横桟が第２の切欠き部に押し込まれる際に、前記横桟が乗り上げる曲面形状の案内部を有することを特徴とする請求項２記載の空気調和機。
【発明の詳細な説明】
【技術分野】
【０００１】
この発明は、空気調和機に関するもので、詳しくは送風ファンへの触手を抑制するファンガードの本体への取付構造に関する。
【背景技術】
【０００２】
従来、簡素な構成であって、本体への取付及び取り外しが容易且つ確実なファンガードの保持部材を有する空気調和機を提供するために、左右風向板が設置される左右風向板ベースに風の流れ方向に向けて流線型に形成された、下方保持爪と前方保持爪と後方保持爪とを具備するファンガード保持部材が形成され、左右風向板ベースの下面と下方保持爪の上端面とによってファンガードの縦桟の横部分が、前方保持爪の後面と後方保持爪の前面とによって縦桟の縦部分が、それぞれ保持される空気調和機が提案されている（例えば、特許文献１参照）。
【特許文献１】特開２００５−１８８８７１号公報
【発明の開示】
【発明が解決しようとする課題】
【０００３】
しかしながら、上記特許文献１に記載された従来の空気調和機は、左右風向板ベースの下面と下方保持爪の上端面とによってファンガードの縦桟の横部分が、前方保持爪の後面と後方保持爪の前面とによって縦桟の縦部分が、それぞれ保持される構成なので、ファンガードを左右風向板ベースに取り付けにくい。また、ファンガードを左右風向板ベースに取り付ける際に、ファンガードの縦桟の縦部分を押し広げるので、変形しやすい。さらに、リサイクル時に取り外しにくいという課題があった。
【０００４】
この発明は、上記のような課題を解決するためになされたもので、ファンガードの寸法管理及び型形状の簡易化を図るとともに、ファンガードの左右風向板ベースへの取り付け作業性を向上させた空気調和機を提供することを目的とする。
【課題を解決するための手段】
【０００５】
この発明に係る空気調和機は、室内の空気を吸込む吸込口と、室内へ調和空気を吹出す吹出口と、吸込口と吹出口とを連通する風路とを有する本体と、風路に設けられた送風ファンと、送風ファンに向って吹出口に設けられ、送風ファンへの触手を抑制するファンガードと、吹出口に設けられ、左右方向の風向を変更する左右風向板と、ファンガードが着脱自在に取り付けられると共に、左右風向板が回動自在に取り付けられて、本体に固定される左右風向板ベースとを備え、ファンガードは、Ｕ字に形成された複数の縦桟と、複数の横桟とからなり、左右風向板ベースは、縦桟のＵ字の反開口部側が回動自在に係合する縦桟係合部と、横桟の一つが押し込められる横桟係合部とを具備することを特徴とする。
【発明の効果】
【０００６】
この発明に係る空気調和機は、上記構成により、ファンガードの寸法管理及び型形状の簡易化を図ることができる。また、ファンガードの左右風向板ベースへの取り付け作業性を向上することができる。
【発明を実施するための最良の形態】
【０００７】
実施の形態１．
図１乃至図１３は実施の形態１を示す図で、図１は空気調和機１の全体構成を示す斜視図、図２は空気調和機１の縦断面図、図３は左右風向板組立３０ａを示す斜視図、図４は図３の角度を変え、左右風向板８を除いた斜視図、図５はファンガード１０ａの斜視図、図６は左右風向板ベース１１ａを下から見た斜視図、図７は図６の保持片２６付近の拡大図、図８は左右風向板ベース１１ａを下から見た平面図、図９は左右風向板ベース１１ａを上から見た平面図、図１０は左右風向板ベース１１ａを上から見た斜視図、図１１は図４の一部拡大図、図１２はファンガード１０ａの左右風向板ベース１１ａへの取付方法を示す断面側面図、図１３は図１２の一部拡大図である。
【０００８】
図１及び図２により、空気調和機１の全体構成を簡単に説明する。空気調和機１（室内機）は、本体２０（筐体とも呼ぶ）に室内の空気を吸込む吸込口２と、室内へ熱交換器５で冷凍サイクルの冷媒と熱交換された調和空気を吹出す吹出口３と、吸込口２と吹出口３とを連通する風路４とを有する。風路４には、本体２０の略中央部に送風を行う送風ファン６が設けられる。さらに、この送風ファン６を囲むように熱交換器５が風路４に設けられている。
【０００９】
吹出口３の口元には、風の上下方向の風向を変える上下風向板９が設けられる。上下風向板９は、例えば、風路４を清掃するために、取り外し可能になっている。上下風向板９は公知のものを使用するので、詳細な構成の説明は省略する。
【００１０】
吹出口３において、上下風向板９の上流側で、送風ファン６に近い位置に、左右風向板組立３０ａ（右側）、左右風向板組立３０ｂ（左側）が設けられる。左右風向板組立３０ａ及び左右風向板組立３０ｂは、吹出口３の中央部付近を境にして左右に分かれて配置されている。そして、左右風向板組立３０ａ及び左右風向板組立３０ｂは、上下風向板９を取り外した後、観音扉のように、それぞれ吹出口３の中央部付近から前方へ開く構成になっている。左右風向板組立３０ａ及び左右風向板組立３０ｂが前方へ開放されることにより、風路４の清掃等が可能となる。
【００１１】
左右風向板組立３０ａ及び左右風向板組立３０ｂの構成は、略同じである。従って、以下左右風向板組立３０ａについて説明し、左右風向板組立３０ｂの説明は省略する。
【００１２】
本実施の形態は、左右風向板組立３０ａにおいて、ファンガード１０ａの左右風向板ベース１１ａへの取付構造に特徴がある。左右風向板８は、公知のものである。左右風向板８は、ドレンパン７の裏側の風路壁（本体２０の一部）に取り付けられる。
【００１３】
図３に示すように（図４も参照）、左右風向板組立３０ａは、左右風向板ベース１１ａと、この左右風向板ベース１１ａに回動自在に取付られる左右風向板８と、左右風向板ベース１１ａに着脱自在に取り付けられるファンガード１０ａとを備える。左右風向板８とファンガード１０ａの位置関係は、左右風向板８が送風ファン６に近い位置に配置される。ファンガード１０ａは、左右風向板８の下流側（前面側）に位置する。その理由は、後述する。
【００１４】
図５により、ファンガード１０ａの構成を説明する。ファンガード１０ａは、Ｕ字の複数の縦桟２２（図５の例は、３個）と、直線を基本とする複数の横桟２１（図５の例は、６本）とを備える。線材には、太さ１ｍｍ程度の鉄線を用いる。３個のＵ字の縦桟２２と６本の横桟２１を溶接により固定する。次に、図５の右端では、横桟２１の上の２本を除く４本の端部を左右風向板８側に折り曲げる。図５の左端では、横桟２１の上の１本を除く５本の端部を左右風向板８側に折り曲げる。また、最下部の横桟２１は、両端に立上り部２１ａを備える。この立上り部２１ａに、他の横桟２１（右側は３本、左側は４本）の端部が溶接される。溶接後、塗装を施して完成する。
【００１５】
縦桟２２は、夫々縦部分２２ａ（２本）と、横部分２２ｂとからなる。夫々縦部分２２ａ（２本）と、横部分２２ｂとでＵ字を形成する。
【００１６】
隣接する横桟２１間の距離を、９ｍｍ以下にしている。縦桟２２の横部分２２ｂと隣接する横桟２１間の距離も同様である。９ｍｍ以下とすることにより、人の指が横桟２１間に入らないようにすることができる。左右風向板組立３０ａは、送風ファン６の近くにある。例えば、ファンガード１０ａと送風ファン６との距離は、最も近い所で（ファンガード１０ａの左右端部）、約３０ｍｍである。人が誤って風路４に手を入れると、送風ファン６に触れる場合がある。その危険を無くすために、上記のような構成のファンガード１０ａを左右風向板組立３０ａに設けている。
【００１７】
ファンガード１０ａが左右風向板８よりも下流側にある理由を述べる。ファンガード１０ａは、例えば、図３に示すように、その上部が左右風向板ベース１１ａに固定される。従って、下部、左右端部は固定されていないので、前方から力が加えられた場合曲がりやすい。左右風向板８が送風ファン６とファンガード１０ａとの間にない場合は、送風ファン６にファンガード１０ａが当たり、送風ファン６を変形させる恐れがある。左右風向板８が送風ファン６とファンガード１０ａとの間に存在すれば、ファンガード１０ａが前方から押されて変形しても左右風向板８に当たり、送風ファン６へは影響しない。
【００１８】
次に、図６乃至図１０により左右風向板ベース１１ａの構成を説明する。主にファンガード１０ａの取付に関係する部分について説明する。左右風向板ベース１１ａは、全体が細長い略平板形状である。そして、二つある長辺の一方（前面側）に、複数の略台形の凹部２３が、左右風向板ベース１１ａの短辺方向に形成されている。台形の底辺は開放されている。そして、凹部２３の配置は、ファンガード１０ａの縦桟２２の配置に対応している。即ち、Ｕ字の縦桟２２の二つの縦部分２２ａが凹部２３に収まる配置である。
【００１９】
さらに、凹部２３が設けられる、左右風向板ベース１１ａの長辺の縁部には、上方に立ち上がるフランジ２９（図４、図１１も参照）が形成されている。また、略台形の頂辺は、後壁面４０（図４、図１１も参照）で形成される。Ｕ字の縦桟２２の二つの縦部分２２ａが収まる二つの凹部２３は、それぞれの凹部２３の奥部、具体的には二つの略台形の対向する辺の頂部側に第１の切欠き部２４が形成される。第１の切欠き部２４は、フランジ２９を切落とし、さらに台形の対向する辺の外側に向って凹部２３を広げる形になっている。
【００２０】
対向する二つの第１の切欠き部２４に、縦桟２２の横部分２２ｂの両端部が収まる。
【００２１】
二つの凹部２３と、夫々の凹部２３に形成された対向する二つの第１の切欠き部２４とが、縦桟係合部２５を構成する。この縦桟係合部２５に、ファンガード１０ａの縦桟２２のＵ字の反開口部側が係合する。このとき、ファンガード１０ａは、横部分２２ｂが第１の切欠き部２４内を回動可能な状態にある。また、ファンガード１０ａの縦桟２２の横部分２２ｂに隣接する横桟２１は、後述する保持片２６の案内部１６ｂに載っている（図１２、図１３のイに示すような位置にある）。
【００２２】
左右風向板ベース１１ａの裏面（左右風向板８が回動自在に取り付けられる面（図３参照））の前面側に、例えば、図６に示すように、保持片２６が形成されている。図６の中央部の２個が保持片２６として機能する。即ち、中央部の２個の保持片２６は、下部に横桟２１（一例では、縦桟２２の横部分２２ｂに隣接する横桟２１）が係合する第２の切欠き部２６ａを備える。また、凹部２３が設けられる左右風向板ベース１１ａの長辺の縁部から第２の切欠き部２６ａにかけて、滑らかな曲面形状の案内部２６ｂが形成されている。第２の切欠き部２６ａが横桟係合部の一例である。
【００２３】
図６において、外側の２個の保持片２６は、第２の切欠き部２６ａを持たない。案内部２６ｂが形成されているだけである。これらの外側の２個の保持片２６は、ファンガード１０ａが左右風向板ベース１１ａに取り付けられた場合に、横桟２１に当接して横桟２１の上方向への動きを規制する。それにより、ファンガード１０ａの取付状態が安定する。
【００２４】
図１２、図１３のイの位置（即ち、縦桟係合部２５に、ファンガード１０ａの縦桟２２のＵ字の反開口部側が係合し、ファンガード１０ａの縦桟２２の横部分２２ｂに隣接する横桟２１が、保持片２６の案内部１６ｂに載っている状態）から、ファンガード１０ａが下方に回動する力を加える。すると、ファンガード１０ａは、保持片２６の案内部２６ｂに乗り上げ、案内部２６ｂに沿って下方に移動し、第２の切欠き部２６ａに収まる（図１２、図１３のロの位置）。
【００２５】
図８に示すように、左右風向板ベース１１ａは右端に回動自在に本体２０（ドレンパン７の裏側の風路壁）に軸支される固定部２７を備える。また、左端に風路４の清掃時に左右風向板組立３０ａを開放するときの取手部２８を備える。
【００２６】
以上の説明では、ファンガード１０ａの縦桟２２の横部分２２ｂに隣接する横桟２１が、保持片２６の第２の切欠き部２６ａに係合する例を説明した。縦桟２２の横部分２２ｂに隣接する横桟２１以外の横桟２１でもよい。また、複数の横桟２１が保持片２６に係合してもよい。
【００２７】
以上のように、この実施の形態によれば、ファンガード１０ａを左右風向板ベース１１ａに取り付ける場合、先ず縦桟係合部２５にファンガード１０ａの縦桟２２のＵ字の反開口部側を係合させる。次にファンガード１０ａの縦桟２２の横部分２２ｂに隣接する横桟２１が、保持片２６の案内部１６ｂに載っている状態から、ファンガード１０ａが下方に回動する力を加える。ファンガード１０ａは、保持片２６の案内部２６ｂに乗り上げ、案内部２６ｂに沿って下方に移動し、第２の切欠き部２６ａに収まる構成とした。従って、ファンガード１０ａの縦桟２２に屈曲部がないので寸法管理及び型形状の簡易化を図ることができる。また、ファンガード１０ａの左右風向板ベース１１ａへの取り付け作業性が向上する。さらに、リサイクル時に、ファンガード１０ａを左右風向板ベース１１ａから容易に取り外すことができる。
【図面の簡単な説明】
【００２８】
【図１】実施の形態１を示す図で、空気調和機１の全体構成を示す斜視図。
【図２】実施の形態１を示す図で、空気調和機１の縦断面図。
【図３】実施の形態１を示す図で、左右風向板組立３０ａを示す斜視図。
【図４】実施の形態１を示す図で、図３の角度を変え、左右風向板８を除いた斜視図。
【図５】実施の形態１を示す図で、ファンガード１０ａの斜視図。
【図６】実施の形態１を示す図で、左右風向板ベース１１ａを下から見た斜視図。
【図７】実施の形態１を示す図で、図６の保持片２６付近の拡大図。
【図８】実施の形態１を示す図で、左右風向板ベース１１ａを下から見た平面図。
【図９】実施の形態１を示す図で、左右風向板ベース１１ａを上から見た平面図。
【図１０】実施の形態１を示す図で、左右風向板ベース１１ａを上から見た斜視図。
【図１１】実施の形態１を示す図で、図４の一部拡大図。
【図１２】実施の形態１を示す図で、ファンガード１０ａの左右風向板ベース１１ａへの取付方法を示す断面側面図。
【図１３】実施の形態１を示す図で、図１２の一部拡大図。
【符号の説明】
【００２９】
１  空気調和機、２  吸込口、３  吹出口、４  風路、５  熱交換器、６  送風ファン、７  ドレンパン、８  左右風向板、９  上下風向板、１０ａ  ファンガード、１０ｂ  ファンガード、１１ａ  左右風向板ベース、２０  本体、２１  横桟、２２  縦桟、２２ａ  縦部分、２２ｂ  横部分、２３  凹部、２４  第１の切欠き部、２５  縦桟係合部、２６  保持片、２６ａ  第２の切欠き部、２６ｂ  案内部、２７  固定部、２８  取手部、２９  フランジ、３０ａ  左右風向板組立、３０ｂ  左右風向板組立、４０  後壁面。
【図１】
0004698649.tif 000002
【図２】
0004698649.tif 000003
【図３】
0004698649.tif 000004
【図４】
0004698649.tif 000005
【図５】
0004698649.tif 000006
【図６】
0004698649.tif 000007
【図７】
0004698649.tif 000008
【図８】
0004698649.tif 000009
【図９】
0004698649.tif 000010
【図１０】
0004698649.tif 000011
【図１１】
0004698649.tif 000012
【図１２】
0004698649.tif 000013
【図１３】
0004698649.tif 000014